(57)【特許請求の範囲】
【請求項１】
複数の光学部材が組み込まれる光源ケースを備え、
前記光源ケースは、前記光源ケースの本体底板及び前記本体底板の上方における前記光学部材の両側の位置に前記光学部材を固定する固定部と、前記光源ケースに収容される前記光学部材を押圧する押圧板と、を有し、
前記固定部は、前記本体底板に主位置決め部が形成された下固定部と、前記主位置決め部とは前記光学部材の逆の面に当接する一対の第二位置決め部が形成された横固定部と、を有し、
前記下固定部は、前記光学部材下端の下方に間隙を形成し、前記光学部材の略左右対称の位置で前記光学部材を支持する部材支持部を有し、
前記下固定部は、前記光学部材の光軸に対して傾斜したテーパー面を有し、
前記下固定部の前記部材支持部は、前記光学部材の前面側又は後面側の前記光学部材周縁部を支持する、
ことを特徴とする光源装置。
【請求項２】
複数の光学部材が組み込まれる光源ケースを備え、
前記光源ケースは、前記光源ケースの本体底板及び前記本体底板の上方における前記光学部材の両側の位置に前記光学部材を固定する固定部と、前記固定部の上方に配置される当接部を含み、前記光源ケースに収容される前記光学部材を押圧する押圧板と、を有し、
前記固定部は、前記本体底板に主位置決め部が形成された下固定部と、前記主位置決め部とは前記光学部材の逆の面に当接する一対の第二位置決め部が形成された横固定部と、を有し、
前記当接部は、当接傾斜面を有する傾斜突出部とされ、前記当接傾斜面は、前記固定部の上方において、前記主位置決め部側が前記第二位置決め部側よりも低くなるように傾斜している、
ことを特徴とする光源装置。
【請求項３】
前記光源ケースは、精密射出成型により形成されており、
前記主位置決め部及び第二位置決め部は、突起体とされ、前記突起体の前記光学部材への接触面を前記光学部材の光軸と垂直とされることを特徴とする請求項１または請求項２に記載した光源装置。
【請求項４】
前記主位置決め部とされる前記突起体は１個が前記固定部に形成され、前記第二位置決め部とされる前記突起体は、前記光学部材の左右に対称として形成されることを特徴とする請求項３に記載した光源装置。
【請求項５】
前記押圧板は、上カバー板の内側に配置される上部押え板であることを特徴とする請求項１乃至請求項４の何れかに記載した光源装置。
【請求項６】
前記上部押え板は、複数個の前記光学部材を押圧することを特徴とする請求項５に記載した光源装置。
【請求項７】
前記当接部は、舌片形状の当接舌片とされ、前記当接舌片は、前記固定部の上方において、前記主位置決め部側が前記第二位置決め部側よりも低くなるように傾斜していることを特徴とする請求項２に記載した光源装置。
【請求項８】
前記押圧板は、複数個の押え固定部を有する前記光源ケースの上カバー板であることを特徴とする請求項１に記載した光源装置。
【請求項９】
前記押え固定部には、クッション板を備えることを特徴とする請求項８に記載した光源装置。
【請求項１０】
請求項１乃至請求項９の何れかに記載の光源装置と、
画像光を生成する表示素子と、
前記表示素子から出射された画像光をスクリーンに投影する投影側光学系と、
前記光源装置や前記表示素子を制御する投影装置制御手段と、
を有することを特徴とする投影装置。
【発明の詳細な説明】
【技術分野】
【０００１】
本発明は、光源装置及びこの光源装置を備える投影装置に関する。
【背景技術】
【０００２】
今日、パーソナルコンピュータの画面やビデオ画像、さらにメモリカード等に記憶されている画像データによる画像等をスクリーンに投影する画像投影装置としてのデータプロジェクタが多用されている。このプロジェクタは、光源から出射された光をＤＭＤ（デジタル・マイクロミラー・デバイス）と呼ばれるマイクロミラー表示素子、又は、液晶板に集光させ、スクリーン上にカラー画像を表示させるものである。
【０００３】
そして、この投影装置であるプロジェクタは、パーソナルコンピュータやＤＶＤプレーヤーなどの映像機器の普及に伴って、業務用プレゼンテーションから家庭用に至るまで、用途が拡大している。このようなプロジェクタにおいて、従来は高輝度の放電ランプを光源とするものが主流であったが、近年、光源として複数のレーザーダイオード等の半導体発光素子を用い、それに伴い複数のレンズやミラー等の光学部材により構成される光源装置の開発や提案が多々なされている。
【０００４】
例えば、レーザーダイオードによる青色の波長帯域光を射出する励起光源と、この励起光源から出射された光を吸収して可視光に変換する蛍光体の層を有し、モータによって回転駆動される光学ホイール（回転板）と、を備えた光源装置及びこの光源装置を備えたプロジェクタが提案されている。
【０００５】
そして、本件出願人は、特許文献１に開示されるように、青色レーザダイオードを有する励起光照射装置を備える投影装置とし、励起光照射装置からの励起光を回転する蛍光ホイールに照射し、蛍光ホイールの蛍光体層から緑色波長帯域光を出射させ、蛍光ホイールの一部に拡散透過部を形成して励起光とした青色波長帯域光を透過させ、この緑色波長帯域光と青色波長帯域光とに発光ダイオードから出射された赤色波長帯域光とを合わせて同一方向に出射する光源装置を備える投影装置を提案し、実施している。
【０００６】
また、特許文献２の投影装置では、白色光を出射する高圧放電ランプ等の光源光をダイクロイックミラーにより赤色光、緑色光、青色光に分離し、この赤色光、緑色光、青色光を光変調装置とした液晶パネルにより三原色の画像光とした後、ダイクロイックプリズムにより合成して投射するプロジェクタが開示、提案されている。
【０００７】
上述の様に、投影装置では、内蔵する光源装置などの光学系に多くのレンズやミラーが使用され、投影画像の明るさや色再現性を高めるため、各レンズの配置位置や中心軸（光軸位置）を所定位置とするために注意が払われて組み立てが行われている。
【先行技術文献】
【特許文献】
【０００８】
【特許文献１】特開２０１３−０９７２３３号公報
【特許文献２】特開２００３−２８７８１５号公報
【発明の概要】
【発明が解決しようとする課題】
【０００９】
上述の様に、投影装置の光学系では、レンズやミラーを高精度実装により組み立てが行われている。しかし、レンズやミラー自体の仕上がり公差、レンズやミラーを組み込む構成部品の公差、等により、各レンズ等の固定位置を高精度に所定位置とすることが困難な場合がある。この場合には、切削２次加工を行ったり、２次的な固定部品を用いて高精度実装を行うことも一部の組み立て作業では行われているも、光源装置や投影装置の組み立てに多くの手数や時間を要することとなっていた。
【００１０】
本発明は、このような欠点を排除し、組み立て作業を単純容易としつつ、レンズの固定位置の精度を高めることを可能とする光源装置及び投影装置を提供するものである。
【課題を解決するための手段】
【００１１】
本発明に係る光源装置は、複数の光学部材が組み込まれる光源ケースを備え、前記光源ケースは、前記光源ケースの本体底板及び前記本体底板の上方における前記光学部材の両側の位置に前記光学部材を固定する固定部と、前記光源ケースに収容される前記光学部材を押圧する押圧板と、を有し、前記固定部は、前記本体底板に主位置決め部が形成された下固定部と、前記主位置決め部とは前記光学部材の逆の面に当接する一対の第二位置決め部が形成された横固定部と、を有し、前記下固定部は、前記光学部材下端の下方に間隙を形成し、前記光学部材の略左右対称の位置で前記光学部材を支持する部材支持部を有し、前記下固定部は、前記光学部材の光軸に対して傾斜したテーパー面を有し、前記下固定部の前記部材支持部は、前記光学部材の前面側又は後面側の前記光学部材周縁部を支持する、ことを特徴とする。
本発明に係る他の光源装置は、複数の光学部材が組み込まれる光源ケースを備え、前記光源ケースは、前記光源ケースの本体底板及び前記本体底板の上方における前記光学部材の両側の位置に前記光学部材を固定する固定部と、前記固定部の上方に配置される当接部を含み、前記光源ケースに収容される前記光学部材を押圧する押圧板と、を有し、前記固定部は、前記本体底板に主位置決め部が形成された下固定部と、前記主位置決め部とは前記光学部材の逆の面に当接する一対の第二位置決め部が形成された横固定部と、を有し、前記当接部は、当接傾斜面を有する傾斜突出部とされ、前記当接傾斜面は、前記固定部の上方において、前記主位置決め部側が前記第二位置決め部側よりも低くなるように傾斜している、ことを特徴とする。
【００１２】
本発明に係る投影装置は、上述の光源装置と、画像光を生成する表示素子と、前記表示素子から出射された画像光をスクリーンに投影する投影側光学系と、前記光源装置や前記表示素子を制御する投影装置制御手段と、を有することを特徴とする。
【発明の効果】
【００１３】
本発明は、光源ケースの本体底板に設けた固定部に主位置決め部を有し、光学部材の両側を固定する固定部に第二位置決め部を有して第二位置決め部を主位置決め部とは逆の面で光学部材を支持するため、位置決め部の位置により光学部材を適正位置に正確に固定し、無駄を少なくした光源光の射出を可能とする光源装置と、明るく鮮明な画像投影を可能とする投影装置とを提供することができる。
【図面の簡単な説明】
【００１４】
【図１】本発明の実施形態に係る投影装置の外観斜視図である。
【図２】本発明の実施形態に係る投影装置の機能ブロック図である。
【図３】本発明の実施形態に係る投影装置の内部構造を示す平面模式図である。
【図４】本発明の実施形態に係る光源装置の平面模式図である。
【図５】本発明の実施形態に係る光源装置の要部分解斜視図である。
【図６】本発明の実施形態に係る光源装置に用いる上部押え板の下面図である。
【図７】本発明の実施形態に係る光源装置における光学部材の固定状態の一例を示す断面模式図である。
【図８】本発明の実施形態に係る光源装置に用いる上部押え板の変形例を示す下面図である。
【図９】本発明の実施形態に係る光源装置における光学部材の固定箇所の一例を示す斜視図である。
【図１０】本発明の実施形態に係る光源装置に用いる上部押え板における当接部の変形例を示す断面図である。
【図１１】本発明の実施形態に係る光源装置に用いる上部押え板における当接部の他の変形例を示す平面模式図である。
【図１２】本発明の実施形態に係る光源装置に用いる上部押え板における当接部の他の変形例における断面を示す図である。
【図１３】本発明の他の実施形態に係る光源装置に用いる上カバー板を示す下面斜視図である。
【図１４】本発明の他の実施形態に係る光源装置における光源ケースの一部断面図であって、光学部材の固定状態の一例を示す正面模式図である。
【図１５】本発明の他の実施形態に係る光源装置における光学部材の固定状態の一例を示す垂直断面模式図である。
【図１６】本発明の他の実施形態に係る光源装置における光学部材の固定状態の一例を示し、図１４のＡ−Ａ水平断面模式図である。
【発明を実施するための形態】
【００１５】
以下、本発明を実施するための形態について説明する。図１は、投影装置１０の外観斜視図である。本実施形態の投影装置１０は、上本体ケース１０ａ及び下本体ケース１０ｂを備える。投影装置１０の筐体の側板である正面パネル１２、背面パネル１３、右側パネル１４、及び左側パネル１５は、上本体ケース１０ａの外周縁から下方に向かって立設する。各パネル１２〜１５の下端は、下本体ケース１０ｂの外周縁と当接する。したがって、投影装置１０は、上本体ケース１０ａと下本体ケース１０ｂにより略直方体状に形成される。なお、本実施形態において、投影装置１０における左右とは投影方向に対しての左右方向を示し、前後とは投影装置１０のスクリーン側方向及び光線束の進行方向に対しての前後方向を示す。
【００１６】
投影装置１０の筺体の上面パネル１１には、キー／インジケータ部３７、投影画像調整部１１ａが設けられる。このキー／インジケータ部３７には、電源スイッチキーや電源のオン又はオフを報知するパワーインジケータ、投影のオン、オフを切りかえる投影スイッチキー、光源装置や表示素子又は制御回路等が過熱した時に報知をする過熱インジケータ等の各種設定を行うためのキーやインジケータが配置されている。投影画像調整部１１ａは、一つ又は複数の回動摘みを備える。この回動摘みを操作することにより、図４で後述する投影側光学系の可動レンズの位置が調節され、投影画像の大きさやピントの調整が行われる。また、投影装置１０は、図示しないが、リモートコントローラからの制御信号を受信するＩｒ受信部を備えている。
【００１７】
正面パネル１２と右側パネル１４の前方右側の角部には、吸気孔３１０が設けられる。正面パネル１２の左側には、すり鉢状に窪んだ光出射部１２ａが設けられる。この光出射部１２ａの左側パネル１５側の内壁には、吸気孔３２０が形成される。換言すれば、正面パネル１２の前方左側の角部には、吸気孔３２０が設けられる。投影装置１０は、光出射部１２ａに、投影口１２ｂと、投影口１２ｂを覆うレンズカバー１９を有する。
【００１８】
正面パネル１２の下端には、高さ調整ボタン１２ｃが設けられる。投影装置１０は、正面パネル１２側の内部に支脚を備える。投影装置１０は、高さ調整ボタン１２ｃが押下されている間、下方からその支脚を出没させることができる。よって、使用者は、高さ調整ボタン１２ｃを操作することにより支脚を任意の出代量で固定し、投影装置１０の高さや傾きを調節することができる。
【００１９】
背面パネル１３には、ＵＳＢ端子や画像信号入力用のＤ−ＳＵＢ端子、Ｓ端子、ＲＣＡ端子等を設ける入出力コネクタ部及び電源アダプタプラグ等の各種端子２０が設けられている。また、背面パネル１３において、右側パネル１４側の角部に排気孔３３０が形成され、左側パネル１５側の角部にも排気孔３４０が形成される。換言すれば、投影装置１０の後方右側の角部に排気孔３３０が配置され、後方左側の角部にも排気孔３４０が配置される。
【００２０】
つぎに、投影装置１０の投影装置制御手段について図２の機能ブロック図を用いて述べる。投影装置制御手段は、制御部３８、入出力インターフェース２２、画像変換部２３、表示エンコーダ２４、表示駆動部２６等から構成される。
【００２１】
制御部３８は、投影装置１０内の各回路の動作制御を司るものであって、ＣＰＵや各種セッティング等の動作プログラムを固定的に記憶したＲＯＭ及びワークメモリとして使用されるＲＡＭ等により構成されている。
【００２２】
そして、この投影装置制御手段により、入出力コネクタ部２１から入力された各種規格の画像信号は、入出力インターフェース２２、システムバス（ＳＢ）を介して画像変換部２３で表示に適した所定のフォーマットの画像信号に統一するように変換された後、表示エンコーダ２４に出力される。
【００２３】
表示エンコーダ２４は、入力された画像信号をビデオＲＡＭ２５に展開記憶させた上でこのビデオＲＡＭ２５の記憶内容からビデオ信号を生成して表示駆動部２６に出力する。
【００２４】
表示駆動部２６は、表示エンコーダ２４から出力された画像信号に対応して適宜フレームレートで空間的光変調素子（ＳＯＭ）である表示素子５１を駆動するものである。
【００２５】
投影装置１０は、光源である光源装置６０から出射された光源光の光線束を、後述する導光光学系を介して表示素子５１に照射することにより、表示素子５１の反射光で光像（画像）を形成する。投影装置１０は、その形成した光像を同じく後述する投影側光学系を介してスクリーンに投影し、画像を表示させる。なお、この投影側光学系の可動レンズ群２３５は、レンズモータ４５によりズーム調整やフォーカス調整のための駆動が行われる。
【００２６】
画像圧縮／伸長部３１は、画像信号の輝度信号及び色差信号をＡＤＣＴ及びハフマン符号化等の処理によりデータ圧縮して着脱自在な記録媒体とされるメモリカード３２に順次書き込む記録処理を行う。
【００２７】
また、画像圧縮／伸長部３１は、再生モード時はメモリカード３２に記録された画像データを読み出し、一連の動画を構成する個々の画像データを１フレーム単位で伸長する。そして、画像圧縮／伸長部３１は、その画像データを、画像変換部２３を介して表示エンコーダ２４に出力し、メモリカード３２に記憶された画像データに基づいた動画等を表示する処理を行う。
【００２８】
筺体の上面パネル１１に設けられるメインキー及びインジケータ等により構成されるキー／インジケータ部３７の操作信号は、直接に制御部３８に送出される。リモートコントローラからのキー操作信号は、Ｉｒ受信部３５で受信され、Ｉｒ処理部３６で復調されたコード信号が制御部３８に出力される。
【００２９】
なお、制御部３８にはシステムバス（ＳＢ）を介して音声処理部４７が接続されている。この音声処理部４７は、ＰＣＭ音源等の音源回路を備えており、投影モード及び再生モード時には音データをアナログ化し、スピーカ４８を駆動して拡声放音させる。
【００３０】
また、制御部３８は、光源制御手段としての光源制御回路４１を制御している。この光源制御回路４１は、画像生成時に要求される所定波長帯域の光が光源装置６０から出射されるように、光源装置６０の緑色光源装置における励起光照射装置や、赤色光源装置の発光を個別に制御する。光源装置６０から出射された所定の波長帯域の光は、照射ミラー１８５で反射され、表示素子５１に照射される。
【００３１】
制御部３８は、冷却ファン駆動制御回路４３に光源装置６０等に設けた複数の温度センサによる温度検出を行わせ、この温度検出の結果から冷却ファンの回転速度を制御させている。また、制御部３８は、投影装置１０の電源をＯＦＦにする指示を受けると、冷却ファン駆動制御回路４３にタイマーを用いて投影装置１０本体の電源ＯＦＦ後も冷却ファンの回転を持続させたり、温度センサによる温度検出の結果に応じて投影装置１０本体の電源を切るタイミングを定める等の制御を行うことができる。
【００３２】
つぎに、投影装置１０の内部構造について述べる。図３は、投影装置１０の内部構造を示す平面模式図である。投影装置１０は、電源装置３０１、制御回路基板３０２、光源装置６０を備える。また、投影装置１０は、冷却ファンとして、吸気ファン２６０、中間ファン２７０、排気ファン２８０を備える。
【００３３】
光源装置６０は、投影装置１０の筐体の略中央に配置される。光源装置６０は、光源ケース６１によって内部にレンズやミラー等の光学部材を収納する。電源装置３０１は、光源装置６０の左側パネル１５側に配置される。電源装置３０１の基板は、左側パネル１５と略平行に配置される。制御回路基板３０２は、光源装置６０の背面パネル１３側に配置される。制御回路基板３０２は、上下方向に対し略垂直に配置される。制御回路基板３０２は、電源回路ブロックや光源制御ブロック等を備える。また、制御回路基板３０２は、電源回路ブロックや光源制御ブロック等の機能毎に分けて、複数備えることができる。
【００３４】
光源装置６０の内部構造について説明する。図４は、光源装置６０の平面模式図である。光源装置６０は、赤色波長帯域光の光源とされる赤色光源装置１２０と、緑色波長帯域光の光源とされる緑色光源装置８０と、青色波長帯域光の光源とされる青色光源装置であると共に励起光源ともされる励起光照射装置７０と、を備える。緑色光源装置８０は、励起光照射装置７０と、蛍光板装置１００により構成される。光源装置６０は、導光光学系１４０を有する。導光光学系１４０は、緑色波長帯域光及び青色波長帯域光及び赤色波長帯域光の光線束を合わせて、各色波長帯域の光線束を同一光路上に導光する。
【００３５】
励起光照射装置７０は、図３に示したように、投影装置１０筐体の右側パネル１４側に配置される。励起光照射装置７０は、背面パネル１３と光軸が平行になるよう配置された複数の固体発光素子を備える。本実施形態の固体発光素子は、青色波長帯域光を発する青色レーザダイオード７１である。また、青色レーザダイオード７１は、右側パネル１４と平行に配置されている。これら青色レーザダイオード７１は、固定ホルダ７４に固定される。
【００３６】
また、図４に示したように、励起光照射装置７０は、反射ミラー７６、拡散レンズ７７、拡散板７８、ヒートシンク８１を備える。反射ミラー７６は、各青色レーザダイオード７１からの出射光の光軸を拡散レンズ７７及び拡散板７８に向けて９０度変換する。拡散レンズ７７及び拡散板７８は、反射ミラー７６で反射した各青色レーザダイオード７１からの出射光を予め定められた拡散角度で拡散する。ヒートシンク８１は、青色レーザダイオード７１と右側パネル１４との間に配置される。図３に示したように、ヒートシンク８１の右側方に形成された第一フィン８１１の板面は上下方向に対して垂直に形成される。また、上方に形成された第二フィン８１２の板面は、左右方向に対して垂直に形成される。
【００３７】
図４に戻り、各青色レーザダイオード７１からの光路上には、青色レーザダイオード７１からの出射光の指向性を高めて平行光に変換するコリメータレンズ７３が夫々配置されている。これらコリメータレンズ７３は、青色レーザダイオード７１とともに固定ホルダ７４に固定される。
【００３８】
赤色光源装置１２０は、青色レーザダイオード７１の光線束と光軸が平行となるように配置された赤色光源１２１と、赤色光源１２１からの出射光を集光する集光レンズ群１２５と、を備える。この赤色光源１２１は、赤色波長帯域光を発する固体発光素子である赤色発光ダイオードである。赤色光源装置１２０は、赤色光源装置１２０が出射する赤色波長帯域光の光軸が、蛍光板１０１から出射される緑色波長帯域光の光軸と交差するように配置される。
【００３９】
また、赤色光源装置１２０は、赤色光源１２１の右側パネル１４側にヒートシンク１３０を備える。ヒートシンク１３０のフィン１３１は、全体が右側方向に立設しており、上下方向に対して略垂直に形成される。また、フィン１３１は、正面視において放射状に上下に広がるように傾斜して形成される。ヒートシンク１３０は、青色レーザダイオード７１のヒートシンク８１と、前方から見て上下左右方向が重ならない位置に配置される。
【００４０】
緑色光源装置８０を構成する蛍光板装置１００は、蛍光板１０１、モータ１１０、入射側の集光レンズ群１１７、出射側の集光レンズ１１５を備える。蛍光板１０１は、励起光照射装置７０からの出射光の光軸と直交するように配置された蛍光ホイールである。この蛍光板１０１はモータ１１０により回転駆動する。集光レンズ群１１７は、励起光照射装置７０から出射される励起光の光線束を蛍光板１０１に集光する。集光レンズ１１５は、蛍光板１０１から正面パネル１２方向に出射される光線束を集光する。
【００４１】
なお、蛍光板装置１００は、集光レンズ群１１７及び集光レンズ１１５の上方に配置される。そのため、蛍光板１０１の下方の一部が集光レンズ群１１７と集光レンズ１１５の光路上に配置される。
【００４２】
蛍光板１０１には、蛍光発光領域と拡散透過領域とが周方向に並設されている。蛍光発光領域は、青色レーザダイオード７１から出射された青色波長帯域光を励起光として受けて、励起された緑色波長帯域の蛍光光を出射する。拡散透過領域は、青色レーザダイオード７１からの出射光を拡散透過する。拡散透過した出射光は、光源装置６０の青色波長帯域光として出射される。
【００４３】
導光光学系１４０は、第一ダイクロイックミラー１４１、集光レンズ１４９、第二ダイクロイックミラー１４８、第一反射ミラー１４３、集光レンズ１４６、第二反射ミラー１４５、集光レンズ１４７を有する。第一ダイクロイックミラー１４１は、励起光照射装置７０から出射される青色波長帯域光及び蛍光板１０１から出射される緑色波長帯域光と、赤色光源装置１２０から出射される赤色波長帯域光とが交差する位置に配置される。
【００４４】
第一ダイクロイックミラー１４１は、青色波長帯域光及び赤色波長帯域光を透過し、緑色波長帯域光を反射する。第一ダイクロイックミラー１４１で反射した緑色波長帯域光の光軸は、集光レンズ１４９に向かう左側パネル１５方向に９０度変換される。したがって、第一ダイクロイックミラー１４１を透過した赤色波長帯域光の光軸は、第一ダイクロイックミラー１４１により反射された緑色波長帯域光の光軸と一致する。
【００４５】
集光レンズ１４９は、第一ダイクロイックミラー１４１の左側パネル１５側に配置される。第一ダイクロイックミラー１４１を透過した赤色波長帯域光及び第一ダイクロイックミラー１４１により反射された緑色波長帯域光は、共に集光レンズ１４９に入射する。
【００４６】
第二ダイクロイックミラー１４８は、集光レンズ１４９の左側パネル１５側であって、集光レンズ１４７の背面パネル１３側に配置される。第二ダイクロイックミラー１４８は、赤色波長帯域光及び緑色波長帯域光を反射し、青色波長帯域光を透過する。したがって、集光レンズ１４９で集光された赤色波長帯域光及び緑色波長帯域光は、第二ダイクロイックミラー１４８によって反射されて、背面パネル１３側に９０度変換される。第二ダイクロイックミラー１４８の背面パネル１３側には、光源側光学系１７０の集光レンズ１７３が配置される。第二ダイクロイックミラー１４８により反射された赤色波長帯域光及び緑色波長帯域光は、集光レンズ１７３に入射する。
【００４７】
第一反射ミラー１４３は、蛍光板１０１を透過した青色波長帯域光の光軸上、つまり、集光レンズ１１５と正面パネル１２との間に配置される。第一反射ミラー１４３は、青色波長帯域光を反射して、この青色波長帯域光の光軸を左側パネル１５方向に９０度変換する。集光レンズ１４６は、第一反射ミラー１４３の左側パネル１５側に配置される。また、第二反射ミラー１４５は、集光レンズ１４６の左側パネル１５側に配置される。第二反射ミラー１４５は、第一反射ミラー１４３により反射されて、集光レンズ１４６により集光された青色波長帯域光の光軸を、背面パネル１３側に９０度変換する。
【００４８】
集光レンズ１４７は、第二反射ミラー１４５の背面パネル１３側に配置される。第二反射ミラー１４５により反射された青色波長帯域光は、集光レンズ１４７を介して第二ダイクロイックミラー１４８を透過し、光源側光学系１７０の集光レンズ１７３に入射する。このようにして、導光光学系１４０により導光された赤色、緑色、青色の各波長帯域光の光線束は、光源側光学系１７０の同一光路上に導光される。
【００４９】
光源側光学系１７０は、集光レンズ１７３、ライトトンネル１７５、集光レンズ１７８、光軸変換ミラー１７９、集光レンズ１８３、照射ミラー１８５、コンデンサレンズ１９５を備える。なお、コンデンサレンズ１９５は、コンデンサレンズ１９５の背面パネル１３側に配置される表示素子５１から出射された画像光を、投影側光学系２２０に向けて出射するため、投影側光学系２２０の一部でもある。
【００５０】
集光レンズ１７３から出射した各光線束は、ライトトンネル１７５に入射する。ライトトンネル１７５に入射される各光線束は、ライトトンネル１７５により均一な強度分布の光線束とされる。
【００５１】
ライトトンネル１７５の背面パネル１３側の光軸上には、集光レンズ１７８を介して、光軸変換ミラー１７９が配置されている。ライトトンネル１７５の出射口から出射した光線束は、集光レンズ１７８で集光された後、光軸変換ミラー１７９により、集光レンズ１８３に向かう光軸に変換される。
【００５２】
光軸変換ミラー１７９で反射した光線束は、集光レンズ１８３により集光された後、照射ミラー１８５により、コンデンサレンズ１９５を介して表示素子５１に所定の角度で照射される。なお、背面パネル１３側にはヒートシンク１９０が設けられている。ＤＭＤとされる表示素子５１は、このヒートシンク１９０により冷却される。また、ヒートシンク１９０の後方に形成されたフィン１９１の板面は、上下方向に対して垂直に形成される。
【００５３】
光源側光学系１７０により表示素子５１の画像形成面に照射された光源光である光線束は、表示素子５１の画像形成面で反射され、投影光として投影側光学系２２０を介してスクリーンに投影される。
【００５４】
投影側光学系２２０は、コンデンサレンズ１９５、可動レンズ群２３５、固定レンズ群２２５により構成される。固定レンズ群２２５は、固定鏡筒に内蔵される。可動レンズ群２３５は、可動鏡筒に内蔵され、手動又は自動により移動されることにより、ズーム調整やフォーカス調整を可能としている。
【００５５】
このように投影装置１０を構成することで、蛍光板１０１を回転させるとともに励起光照射装置７０及び赤色光源装置１２０から異なるタイミングで光を出射すると、赤色、緑色及び青色の各波長帯域光が導光光学系１４０を介してライトトンネル１７５に入射され、さらに光源側光学系１７０を介して表示素子５１に入射される。よって、投影装置１０の表示素子５１であるＤＭＤがデータに応じて各色の光を時分割表示することにより、スクリーンにカラー画像を投影することができる。
【００５６】
そして、この投影装置１０における光源ケース６１は、図５に示すように、主として導光光学系のミラーやレンズを収納する略Ｌ字形状の本体部６１０と、表示素子及び表示素子に付随するミラーやレンズを収納する表示素子収納部６３０と、を備えている。
【００５７】
この本体部６１０は、図４に示す励起光照射装置７０の反射ミラー７６や拡散レンズ７７及び拡散板７８、導光光学系の第一ダイクロイックミラー１４１、集光レンズ１４９、第二ダイクロイックミラー１４８、第一反射ミラー１４３、集光レンズ１４６、第二反射ミラー１４５、集光レンズ１４７、及び、赤色光源装置１２０の集光レンズ群１２５と、緑色光源装置８０の集光レンズ群１１７及び集光レンズ１１５、更に、光源側光学系１７０の集光レンズ１７３、ライトトンネル１７５、集光レンズ１７８、光軸変換ミラー１７９、を収納している。
【００５８】
また、表示素子収納部６３０は、図４に示す表示素子５１の他、光源側光学系１７０の集光レンズ１８３、照射ミラー１８５、コンデンサレンズ１９５を収納するものであって、光源ケース６１内には多くの光学部材が収納固定される。
【００５９】
そして、この光源ケース６１はダイカスト成形される金属製又は耐熱樹脂の精密射出成型品とされ、収納される光学部材の複数個を所定位置に固定するために、金属製薄板である押圧板としての上部押え板６７０を更に備える。
【００６０】
そして、光源ケース６１の本体部６１０は、Ｌ字形状とされる板状の本体底板６１１を有し、Ｌ字形状の本体底板６１１の短辺外側縁に沿って立設される後側壁板６１３、Ｌ字形状の本体底板６１１の短辺端縁部に立設される突出横側壁板６２１、Ｌ字形状の本体底板６１１の短辺前方内側縁に沿って立設される突出前方側壁板６２３、Ｌ字形状の本体底板６１１の長辺の一側縁に沿って立設される右側壁板６１５、Ｌ字形状の本体底板６１１の長辺他側縁に沿って立設される左側壁板６１７を有し、Ｌ字形状の本体底板６１１の長辺の軸方向に沿って立設された中央側壁板６１９を有する。
【００６１】
また、突出横側壁板６２１には開口６２８が形成されており、図４に示す励起光照射装置７０の固定ホルダ７４が突出横側壁板６２１に固定されたとき、青色レーザダイオード７１をこの開口６２８に位置させ、励起光を光源ケース６１に収納された反射ミラー７６方向に照射させる。
【００６２】
更に、右側壁板６１５の略中央にも開口６２９を有し、右側壁板６１５の外面に取り付ける赤色光源装置１２０からの赤色波長帯域光を集光レンズ群１２５を介して第一ダイクロイックミラー１４１の方向に照射可能としている。
【００６３】
そして、右側壁板６１５の前方部分には傾斜部６１６を有し、左側壁板６１７の前方部分にも傾斜部６１８を有し、右側壁板６１５の傾斜部６１６と左側壁板６１７の傾斜部６１８とを接合壁板６２５により接合させている。
【００６４】
尚、右側壁板６１５の傾斜部６１６の上端から光源ケース６１の外方に向けて本体底板６１１と平行に板状のモータ載置板６２７を延設し、緑色光源装置８０を構成する蛍光板装置１００のモータ１１０を光源ケース６１の上面に固定し、図３に示したようにホイールカバー１１１を被せることを可能としている。
【００６５】
そして、後側壁板６１３と中央側壁板６１９の後端との接合部近辺に反射ミラー７６を、中央側壁板６１９の前端近傍と右側壁板６１５との間に拡散レンズ７７と拡散板７８を収納配置し、中央側壁板６１９よりも前方の右側壁板６１５と左側壁板６１７との間には、集光レンズ群１２５、第一ダイクロイックミラー１４１、集光レンズ群１１７、集光レンズ１１５、第一反射ミラー１４３、集光レンズ１４６、第二反射ミラー１４５、集光レンズ１４７、集光レンズ１４９、第二ダイクロイックミラー１４８を収納配置し、中央側壁板６１９と左側壁板６１７との間には光源側光学系１７０の集光レンズ１７３、ライトトンネル１７５、集光レンズ１７８を、集光レンズ１７８の後方にして後側壁板６１３の近傍には光軸変換ミラー１７９を収納配置（図４参照）する。
【００６６】
また、左側壁板６１７の後方にして、本体底板６１１におけるＬ字形状の長辺外側後端縁に位置する表示素子収納部６３０は、略直方体形状とされ、平板矩形の収納部底板６３１と収納部底板６３１の後端縁に立設される収納部後側板６３９、収納部底板６３１の右側縁に立設される収納部右側板６３３、収納部底板６３１の左側端縁に立設される収納部左側板６３５、収納部底板６３１の前端縁に立設される収納部前側板６３７、を有する。
【００６７】
この表示素子収納部６３０には、図４に示す表示素子５１の他、光源側光学系１７０の集光レンズ１８３、照射ミラー１８５、コンデンサレンズ１９５、を収納固定する。
【００６８】
そして、収納部後側板６３９には開口６４９を有してヒートシンク１９０に固定される表示素子５１をこの開口６４９に位置させ、収納部右側板６３３に形成した開口６４３から、光軸変換ミラー１７９で反射された光源光を表示素子収納部６３０に導き、収納部前側板６３７に設けた開口６４７から、表示素子５１で形成された画像光を投影側光学系２２０に入射するように表示素子収納部６３０から出射する。
【００６９】
尚、光源ケース６１は、図３に示したように、上カバー板７１０を有し、本体部６１０の上面及び表示素子収納部６３０の上面を上カバー板７１０により覆い、光源ケース６１の内部を密封するようにして粉塵の侵入を阻止し、光学部材の粉塵による汚れを防止するようにしている。
【００７０】
そして、レンズやミラー等の光学部材の収納固定に際し、光学部材を光源ケース６１の内面に形成する固定部に位置させ、固定部に位置させた光学部材の一部は、押圧板とする上部押え板６７０により上方から押圧して固定部の位置から光学部材が外れることを防止している。
【００７１】
この押圧板である上部押え板６７０は、押え板本体６７３の所要箇所において、図６に示すように、下方に突出する傾斜突出部６８１を当接部６７１としてプレス加工や絞り加工等により形成するものであり、傾斜突出部６８１は、矩形の平面形状とされる当接傾斜面６８３と、当接傾斜面６８３の両側で略三角形状とされ、当接傾斜面６８３の一辺では長方形とされる周縁傾斜面６８５を有する。
【００７２】
尚、図６に示した上部押え板６７０は、集光レンズ１４６、１４７、１４９を押える当接部６７１としての傾斜突出部６８１の他、第二ダイクロイックミラー１４８や集光レンズ１７３を押える当接部６７１としての当接舌片６９１を切抜き穴７０１等により形成して有し、光源ケース６１に収納固定される光学部材の内、所定の複数個の光学部材を上方から押圧固定するものとしている。
【００７３】
そして、図７に示すように、光源ケース６１の本体部６１０に収納する光学部材である集光レンズ１４７の上端に当接傾斜面６８３を、また、第二ダイクロイックミラー１４８の上端に当接舌片６９１を当接し、上部押え板６７０の弾力性、すなわち傾斜突出部６８１の弾性変形力を利用して当接部６７１とする傾斜突出部６８１の当接傾斜面６８３により光学部材を光源ケース６１の本体部６１０に形成した固定部から脱落しないようにしている。
【００７４】
従って、この上部押え板６７０を上カバー板７１０の内側に配置して、傾斜突出部６８１や当接舌片６９１により、レンズやミラーに上方から弾性により押圧力を加え、光源ケース６１に収納する光学部材を容易に固定することができる。
尚、当接傾斜面６８３にゴム板を貼着し、当接部６７１とする傾斜突出部６８１の弾性変形力を高めることもある。
【００７５】
また、図８に示すように、当接部６７１としては、傾斜突出部６８１に変えて当接舌片６９１を形成することもあり、この複数の当接舌片６９１により複数の光学部材を個々に押えることもある。
【００７６】
更に、光源ケース６１に収納固定する光学部材は、従来と同様に本体底板６１１の上面や側壁板の側面に溝を形成して光学部材の端縁を溝に挿入挟持して固定する光学部材と、固定部を形成して固定する光学部材とを組み合わせて収納固定している。
【００７７】
そして、この光源ケース６１に形成する固定部は、図９に示すように、レンズやミラー等の光学部材の外形周縁形状に合わせた受け部６５３を本体底板６１１や側壁板の内側に形成し、本体底板６１１には光学部材の外形周縁形状に合わせた窪みを形成して光学部材の下端を支持可能とする下固定部６５５を設け、更に光源ケース６１の側壁板等には光学部材の左右端部を支持可能とする横固定部６５６を設けて、形成している。
【００７８】
尚、光学部材を配置する位置が、左右側壁版６１５、６１７や中央側壁板６１９等の側壁板から離れているときは、適宜、本体底板６１１から受け支柱６５１を立設してこの受け支柱６５１の側面や本体底板６１１の上面に受け部６５３を設けて固定部を形成することもある。
【００７９】
この固定部は、下固定部６５５と横固定部６５６とにより形成するものであり、下固定部６５５は、ミラー等の外形が矩形の光学部材を支持するときは、本体底板６１１の上面に直接に、又は本体底板６１１に受け部６５３を設けて受け部６５３の上面に形成し、横固定部６５６は、側壁板や受け支柱６５１に直接に、又は側壁板や受け支柱６５１に支持される受け部６５３の内側面に形成する。
【００８０】
また、レンズ等の外形が円形の光学部材を固定するときは、本体底板６１１の上面に直接に、又は本体底板６１１に受け部６５３を設けて受け部６５３の上面に下固定部６５５を形成し、光学部材の下半分部分を支持可能とするように、光学部材の周縁に沿って受け部６５３を形成し、受け部６５３の上面と共に側壁板や受け支柱６５１に直接に、又は側壁板や受け支柱６５１に支持される受け部６５３の内側面に横固定部６５６を形成し、下固定部６５５から滑らかに連続した横固定部６５６を有する固定部として形成する。
【００８１】
尚、受け部６５３を省略し、本体底板６１１に光学部材の下端形状に合わせた窪みである下固定部６５５を形成して光学部材の下端を支持し、横固定部６５６は側壁板相互間や側壁板の表面と受け支柱６５１の側面との間隙を光学部材に合わせて調整して形成することもある。
【００８２】
また、この下固定部６５５の表面高さは、光学部材を光源ケース６１に配置する際の光学部材の高さ位置に合わせて形成している。
【００８３】
そして、下固定部６５５には、光学部材の下端において光学部材の一側面に当接する１個の突起体を主位置決め部６６１として設け、横固定部６５６にも、光学部材の側方端縁において、主位置決め部６６１が接触する面とは逆の光学部材の面に接触する第二位置決め部６６３としての突起体を設けている。
【００８４】
この第二位置決め部６６３とする突起体は、光学部材の両側方端部で各々が光学部材の端縁表面に各突起体を接触させるように一対として光学部材の左右において対称となるように横固定部６５６に設ける。
【００８５】
そして、主位置決め部６６１とする突起体とは光学部材の端部の厚さよりも僅かに広い間隔を設けた位置の本体底板６１１には補助位置決め部６６２とする突起体を設け、第二位置決め部６６３に対しても、光学部材の端部の厚さよりも僅かに広い間隔を設けて第二補助位置決め部６６４とする突起体を側壁板や受け支柱６５１の側面等に突設している。
【００８６】
従って、図７に示したように、光学部材が凸メニスカスレンズである場合、レンズ下端の平面側の側面を主位置決め部６６１に当接し、第二位置決め部６６３をレンズ中間高さにおけるレンズの突出曲面の周縁部を当接させ、補助位置決め部６６２により光学部材の下端が下固定部６５５から外れないように、第二補助位置決め部６６４により光学部材の中間高さ位置が横固定部６５６から外れないようにして、光学部材としてのレンズを固定することができる。
【００８７】
そして、主位置決め部６６１や第二位置決め部６６３とする突起体の光学部材との接触面である平面位置をダイカスト成形等の精密射出成型により正しく位置及び方向を決めておけば、光学部材の光源ケース６１内における光学部材の位置を正確に決定して光源ケース６１内に固定することができる。
【００８８】
また、主位置決め部６６１の接触面や第二位置決め部６６３の接触面は、微小平面であるため、製造に際し、相互に並行として平面方向において光学部材の端部の厚さに等しい間隔を有する平行面とし、且つ、光学部材の光軸又は本体底板６１１の平面に垂直な平面として形成することも容易に可能となる。
【００８９】
そして、光学部材を主位置決め部６６１と第二位置決め部６６３の三点で支持固定するに際し、固定部の上方に位置する上部押え板６７０の当接部６７１は、図７に示したように、当接部６７１の当接傾斜面６８３が主位置決め部６６１を突出させた固定部の側面方向が低くなるように傾斜突出部６８１を形成している。
【００９０】
このため、傾斜突出部６８１の当接傾斜面６８３の傾きにより、光学部材の上端は、下方へ押圧されると共に光学部材の第二位置決め部６６３と接する面の方向にも押圧力が加わり、光学部材の中間高さ位置で光学部材の両側端部を第二位置決め部６６３へ確実に押圧接触させることができる。
【００９１】
そして、中間高さ位置で光学部材の両側端部を第二位置決め部６６３へ確実に押圧接触させると共に、光学部材の下端部は主位置決め部６６１の方向に力が加えられ、確実に主位置決め部６６１の先端へ押圧接触させられることになる。
【００９２】
また、当接部６７１として傾斜突出部６８１とする場合のみでなく、コ字形状の切り抜きにより形成した当接舌片６９１を当接部６７１とする場合も、当接舌片６９１の自由端側を主位置決め部６６１に設けた固定部の側面方向として、当接部６７１とする当接舌片６９１を固定部の上方で主位置決め部６６１側を低くすることにより、同様に光学部材を主位置決め部６６１や第二位置決め部６６３に押圧接触させることができる。
【００９３】
そして、当接舌片６９１を当接部６７１とする場合、上部押え板６７０とする金属板の材質や厚さにより当接舌片６９１の弾性力が不足する場合、図１０に示すように、当接舌片６９１の自由端側をコ字状に折り返し、当接舌片６９１の自由端先端から上方に立ち上がる折返し支持部６９３を形成すると共に、この折返し支持部６９３の上端に支持面部６９５を形成することもある。
【００９４】
この折返し支持部６９３及び支持面部６９５を形成した場合、上部押え板６７０に被せる光源ケース６１の上カバー板７１０の下面に支持面部６９５を当接させることにより、下方から当接舌片６９１に外力が加わった時、当接舌片６９１の自由端側が上方にずれることを防止して弾性力を高めることができる。
【００９５】
尚、支持面部６９５を形成することなく、折返し支持部６９３の上端を上カバー板７１０の下面に当接させることもできる。
【００９６】
また、図１１及び図１２に示すように、押え板本体６７３に切抜き穴７０１を設けて当接舌片６９１を形成するに際し、切抜き穴７０１をコ字形状とするのではなく、コ字形状の平行な２本の線の部分を主切抜き部７０３とし、コ字形状の底辺となる線の部分はその両端を主切抜き部７０３の２本の線間よりも広く突出させて拡大切抜き部７０４とすることにより、Ｔ字形状の当接舌片６９１とし、拡大切抜き部７０４により形成された拡張支持面６９７を支持面部６９５の両端に設け、この拡張支持面６９７を押え板本体６７３の下面に当接して当接舌片６９１の弾性力を高めることもある。
【００９７】
（他の実施形態）
更に、上部押え板６７０を省略し、光源ケース６１の上カバー板７１０に下方に突出する押え固定部７１５を設けることもある。この実施の形態は、図１３に示すように、光源ケース６１に収納するミラーやレンズ等の光学部材の上端を押圧する立方体形状の突出部を押え固定部７１５として形成し、押え固定部７１５の下面にゴム板等のクッション板７１６を取り付けるものである。
【００９８】
即ち、この上カバー板７１０は、励起光を反射する全反射ミラー７６の上端を押えるミラー押え突起７３１、拡散板７８の上端を押える押え突起７３２、第一ダイクロイックミラー１４１の上端を押えるミラー押え突起７３３、第一反射ミラー１４３の上端を押えるミラー押え突起７３４、第二反射ミラー１４５の上端を押えるミラー押え突起７３５、第二ダイクロイックミラー１４８の上端を押えるミラー押え突起７３６、光軸変換ミラー１７９の上端を押えるミラー押え突起７３７である押え突起を押え固定部７１５として有する。
【００９９】
更に、励起光を拡散させる拡散レンズ７７の上端を押えるレンズ押え突起７４１、蛍光板１０１を透過し第一反射ミラー１４３で反射された青色波長帯域光を集光する集光レンズ１４６を押えるレンズ押え突起７４２、第二反射ミラー１４５で反射された青色波長帯域光を集光する集光レンズ１４７を押えるレンズ押え突起７４３、赤色及び緑色波長帯域光を集光する集光レンズ１４９を押えるレンズ押え突起７４４、ライトトンネル１７５の入射口側に配置される集光レンズ１７３を押えるレンズ押え突起７４５、ライトトンネル１７５の出射口側に配置される集光レンズ１７８を押えるレンズ押え突起７４６も、押え固定部７１５として有することにより、上カバー板７１０自体を押圧板とするものである。
【０１００】
尚、上カバー板７１０に形成する押え固定部７１５は、各リブ７１８を連接するように、適宜のリブ７１８を設け、上カバー板７１０の押え固定部７１５による押圧力が低下しないようにしている。
【０１０１】
また、上カバー板７１０を金属製薄板とし、押え固定部７１５やリブ７１８をプレス加工や絞り加工により金属板に立方体形状の突出部を形成することにより、リブ７１８を備えた、又は、リブ７１８を有しない押え固定部７１５とすることもある。
【０１０２】
この様に、光源ケース６１の上カバー板７１０を押圧板として、光源ケース６１に収納する光学部材であるレンズやミラーを、図１４に示すような所定の受け部６５３に押圧固定することにより、光学部材の固定を容易としつつ光源装置６０を密閉して光学部材への塵芥の付着などの汚染を防止して光学部材を正確な位置に収納することができる。
【０１０３】
また、絞り加工やプレス加工により複数個の押え固定部７１５を金属製薄板に形成することは容易であり、クッション板７１６を介することにより、複数個の光学部材を光源ケース６１内の所定位置に押圧固定することも容易に可能となる。
【０１０４】
そして、この押え固定部７１５のクッション板７１６により上端を下方に押圧される外形が円形とされるレンズの受け部６５３としては、図１４に示すように、上方を開くようにしたＶ字形状の下固定部６５５として、光学部材である拡散レンズ７７の下半部分の中間高さ位置でレンズの左右の外周縁と接する部材支持部６５７を形成することがある。この図１４は、図１５に示す拡散レンズ７７、下固定部６５５、第二位置決め部６６３等を右側から見た図である。従って、拡散レンズ７７の前面側が当接する主位置決め部６６１は拡散レンズ７７の反対側に位置するため、見えなくなっている。
【０１０５】
また、受け部６５３の下固定部６５５は、Ｖ字型とする場合に限るものでなく、上方を開口した放物線形状として拡散レンズ７７の下方中間高さにおける左右対称の位置でレンズ７７を支持する部材支持部６５７とすることもある。
【０１０６】
このように、拡散レンズ７７の下半部分の左右対称位置でレンズを保持することにより、図１５に示すように、拡散レンズ７７の最下点において下固定部６５５との間には僅かな間隙を形成しつつ、円形の光学部材の下半中間高さの左右両側で光学部材を支持するため、光学部材を安定させて支持することができる。
【０１０７】
そして、この下固定部６５５は、保持する光学部材の光軸に対して僅かに傾斜する傾斜角αを有するテーパー面を形成しているものであり、拡散レンズ７７の一方の面（前面）側よりも他方の面（後面）側において、拡散レンズ７７の中心軸である光軸からの距離を離すように下固定部６５５の開口部分を僅かに大きくしている。
【０１０８】
この拡散レンズ７７は両面が凹レンズになっているため、拡散レンズ７７の外周の下方が主位置決め部６６１に当接し、拡散レンズ７７の両側面の外周が第二位置決め部６６３に当接する。なお、図１５において、第二位置決め部６６３の拡散レンズ７７と当接する側は平面であるが、この構成に限らない。第二位置決め部６６３は、拡散レンズ７７と当接する側の所定の高さの横方向のみがライン状に突出した構造であっても良い。この場合、第二位置決め部６６３の横方向のライン状の何処かが、拡散レンズ７７の外周部分と当接することになる。
【０１０９】
このため、図１４のＡ−Ａ水平断面模式図である図１６に示すように、部材支持部６５７においてレンズ周縁端部のレンズ前面側で拡散レンズ７７の前面側を下固定部６５５とした受け部６５３により支持することができ、拡散レンズ７７の自重及びクッション板７１６の押圧力により拡散レンズ７７の最下点における前面側を主位置決め部６６１に当接し、部材支持部６５７よりも上方であるレンズの中央高さ位置付近で後面側の左右端部を第二位置決め部６６３に当接して位置決めをすることができる。
【０１１０】
尚、左右の第二位置決め部６６３は、保持する光学部材の光軸と垂直な平面を光学部材との接触面とする場合に限ることなく、突起体の先端を水平方向の直線又は光軸から放射方向に向けた直線形状とし、表面が湾曲面とされる光学部材であるレンズとの接触を線状又は点状として、光学部材の位置決めを行うようにすることもある。
【０１１１】
このように、本発明の実施の形態は、複数個の光学部材を収納する光源ケース６１をダイカスト成形等の精密射出成型により形成し、この光源ケース６１に光学部材を収納配置する固定部に主位置決め部６６１と第二位置決め部６６３を設けているため、この位置決め部の光学部材との接触面の位置を所定位置に正しく成形することを容易とし、主位置決め部６６１と一対の第二位置決め部６６３との三点で光学部材を固定するため、光学部材を光源ケース６１内の適正位置に正確に固定することができる。
【０１１２】
このため、光学部材を透過する光や光学部材で反射する光を、目的とする所定の方向及び範囲とすることができ、光学系の精度を高めて光路外に漏れる無駄な光を減少させ、明るい光源装置６０とすることができると共に、明るく鮮明な画像投影が可能な投影装置１０とすることができる。
【０１１３】
また、この固定部に形成する主位置決め部６６１や第二位置決め部６６３とする位置決め部を突起体形状とすることにより、光学部材と接する接触面の面積を小さくし、所定位置に所定角度で正確に形成することが容易となり、光学部材の光軸と垂直な微小面により光学部材を正確な位置に固定することが容易となる。
【０１１４】
更に、主位置決め部６６１を突起体の１個とし、第二位置決め部６６３を左右対称な一対の突起体とすることにより、光学部材の下端１点と中間高さ位置における２点で支持することとなり、３点支持により光学部材を安定した状態で支持固定するができる。
【０１１５】
そして、光源ケース６１に収納される光学部材の内、複数個を押圧する上部押え板６７０を設けることにより、固定部に固定され且つ位置決め部により位置決めされた複数個の光学部材を、上部押え板６７０により光源ケース６１に収納固定することができるため、光源装置６０の組み立てを容易とすることができる。
【０１１６】
更に、上部押え板６７０には固定部の上方に位置する当接部６７１を設けることにより、当接部６７１によって光学部材を安全かつ確実に固定部に固定することができる。
【０１１７】
また、当接部６７１として当接傾斜面６８３を有する傾斜突出部６８１又は当接舌片６９１として、主位置決め部６６１側を低くするように傾斜した当接部６７１とすることにより光学部材を押圧すれば、傾斜突出部６８１や当接舌片６９１の弾性力により光学部材を下固定部６５５に押し付けると共に、光学部材の上端に対し、下方への押圧力と合わせて第二位置決め部６６３の方向に傾けるように押圧力を加えることができ、第二位置決め部６６３への光学部材の接触、及び、光学部材の下端の主位置決め部６６１への接触を確実に行わせることができる。
【０１１８】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【０１１９】
以下に、本願出願の最初の特許請求の範囲に記載された発明を付記する。
[１]  複数の光学部材が組み込まれる光源ケースを備え、
前記光源ケースは、前記光源ケースの本体底板及び前記本体底板の上方における前記光学部材の両側の位置に前記光学部材を固定する固定部と、前記光源ケースに収容される前記光学部材を押圧する押圧板と、
を有し、
前記固定部は、前記本体底板に主位置決め部が形成された下固定部と、前記主位置決め部とは前記光学部材の逆の面に当接する一対の第二位置決め部が形成された横固定部と、を含む、
ことを特徴とする光源装置。
[２]  前記光源ケースは、精密射出成型により形成されており、
前記主位置決め部及び第二位置決め部は、突起体とされ、前記突起体の前記光学部材への接触面を前記光学部材の光軸等と垂直とされることを特徴とする前記[１]に記載した光源装置。
[３]  前記主位置決め部とされる前記突起体は１個が前記固定部に形成され、前記第二位置決め部とされる前記突起体は、前記光学部材の左右に対称として形成されることを特徴とする前記[２]に記載した光源装置。
[４]  前記下固定部は、前記光学部材下端の下方に間隙を形成し、前記光学部材の左右対称の位置で前記光学部材を支持する部材支持部を有することを特徴とする前記[３]に記載した光源装置。
[５]  前記下固定部は、前記光学部材の光軸に対して傾斜したテーパー面を備え、前記下固定部の部材支持部は前記光学部材の前面側又は後面側の前記光学部材周縁部を支持することを特徴とする前記[４]に記載した光源装置。
[６]  前記押圧板は、上カバー板の内側に配置される上部押え板であることを特徴とする前記[１]乃至前記[５]の何れかに記載した光源装置。
[７]  前記上部押え板は、複数個の前記光学部材を押圧することを特徴とする前記[６]に記載した光源装置。
[８]  前記上部押え板は、前記固定部の上方に配置される当接部を複数個有することを特徴とする前記[６]又は前記[７]に記載した光源装置。
[９]  前記当接部は、当接傾斜面を有する傾斜突出部とされ、前記当接傾斜面は、前記固定部の上方において、前記主位置決め部側が前記第二位置決め部側よりも低くなるように傾斜していることを特徴とする前記[８]に記載した光源装置。
[１０]  前記当接部は、舌片形状の当接舌片とされ、前記当接舌片は、前記固定部の上方において、前記主位置決め部側が前記第二位置決め部側よりも低くなるように傾斜していることを特徴とする前記[８]に記載した光源装置。
[１１]  前記押圧板は、複数個の押え固定部を有する前記光源ケースの上カバー板であることを特徴とする前記[１]に記載した光源装置。
[１２]  前記押え固定部には、クッション板を備えることを特徴とする前記[１１]に記載した光源装置。
[１３]   前記[１]乃至前記[１２]の何れかに記載の光源装置と、
画像光を生成する表示素子と、
前記表示素子から出射された画像光をスクリーンに投影する投影側光学系と、
前記光源装置や前記表示素子を制御する投影装置制御手段と、
を有することを特徴とする投影装置。
【符号の説明】
【０１２０】
１０    投影装置                        １０ａ  上本体ケース
１０ｂ  下本体ケース                    １１  上面パネル
１１ａ  投影画像調整部                  １２  正面パネル
１２ａ  光出射部                        １２ｂ  投影口
１２ｃ  高さ調整ボタン                  １３  背面パネル
１４  右側パネル                        １５  左側パネル
１９  レンズカバー                      ２０  端子
２１  入出力コネクタ部                  ２２  入出力インターフェース
２３  画像変換部                        ２４  表示エンコーダ
２５  ビデオＲＡＭ                      ２６  表示駆動部
３１  画像圧縮／伸長部                  ３２  メモリカード
３５  Ｉｒ受信部                        ３６  Ｉｒ処理部
３７  インジケータ部                    ３８  制御部
４１  光源制御回路                      ４３  冷却ファン駆動制御回路
４５  レンズモータ                      ４７  音声処理部
４８  スピーカ                          ５１  表示素子
６０  光源装置                          ６１  光源ケース
６２  流入口                            ６３  排出口
７０  励起光照射装置                    ７１  青色レーザダイオード
７３  コリメータレンズ                  ７４  固定ホルダ
７６  反射ミラー                        ７７  拡散レンズ
７８  拡散板
８０  緑色光源装置                      ８１  ヒートシンク
１００  蛍光板装置                      １０１  蛍光板
１１０  モータ                          １１１  ホイールカバー
１１５  集光レンズ                      １１７  集光レンズ群
１２０  赤色光源装置                    １２１  赤色光源
１２５  集光レンズ群                    １３０  ヒートシンク
１３１  フィン                          １４０  導光光学系
１４１  第一ダイクロイックミラー        １４３  第一反射ミラー
１４５  第二反射ミラー                  １４６  集光レンズ
１４７  集光レンズ                      １４８  第二ダイクロイックミラー
１４９  集光レンズ                      １７０  光源側光学系
１７３  集光レンズ                      １７５  ライトトンネル
１７８  集光レンズ                      １７９  光軸変換ミラー
１８３  集光レンズ                      １８５  照射ミラー
１９０  ヒートシンク                    １９１  フィン
１９５  コンデンサレンズ                ２２０  投影側光学系
２２５  固定レンズ群                    ２３５  可動レンズ群
２６０  吸気ファン                      ２７０  中間ファン
２８０  排気ファン                      ３０１  電源装置
３０２  制御回路基板                    ３１０  吸気孔
３１１  縁部                            ３２０  吸気孔
３３０  排気孔                          ３４０  排気孔
６１０  本体部                          ６１１  本体底板
６１３  後側壁板                        ６１５  右側壁板
６１６  傾斜部                          ６１７  左側壁板
６１８  傾斜部                          ６１９  中央側壁板
６２１  突出横側壁板                    ６２３  突出前方側壁板
６２５  接合壁板                        ６２７  モータ載置板
６２８、６２９  開口                    ６３０  表示素子収納部
６３１  収納部底板                      ６３３  収納部右側板
６３５  収納部左側板                    ６３７  収納部前側板
６３９  収納部後側板                    ６４３、６４７、６４９  開口
６５１  受け支柱                        ６５３  受け部
６５５  下固定部                        ６５６  横固定部
６５７  部材支持部                      ６６１  主位置決め部
６６２  補助位置決め部                  ６６３  第二位置決め部
６６４  第二補助位置決め部
６７０  上部押え板                      ６７１  当接部
６７３  押え板本体                      ６８１  傾斜突出部
６８３  当接傾斜面                      ６８５  周縁傾斜面
６９１  当接舌片                        ６９３  折返し支持部
６９５  支持面部                        ６９７  拡張支持面
７０１  切抜き穴                        ７０３  主切抜き部
７０４  拡大切抜き部                    ７１０  上カバー板
７１５  押え固定部                      ７１６  クッション板
７１８  リブ
７３１、７３３〜７３７  ミラー押え突起
７３２  押え突起
７４１〜７４６  レンズ押え突起
【図１】
0006369729.tif 000002
【図２】
0006369729.tif 000003
【図３】
0006369729.tif 000004
【図４】
0006369729.tif 000005
【図５】
0006369729.tif 000006
【図６】
0006369729.tif 000007
【図７】
0006369729.tif 000008
【図８】
0006369729.tif 000009
【図９】
0006369729.tif 000010
【図１０】
0006369729.tif 000011
【図１１】
0006369729.tif 000012
【図１２】
0006369729.tif 000013
【図１３】
0006369729.tif 000014
【図１４】
0006369729.tif 000015
【図１５】
0006369729.tif 000016
【図１６】
0006369729.tif 000017